(57)【要約】【課題】放熱構造の複雑化を抑制しつつも、表示制御部の温度上昇を抑制することができる車両用表示装置を提供する。【解決手段】車両用表示装置１は、車両に関する情報を示す画像を表示する表示部１０と、表示部１０の表示制御を行う表示制御部２１と、表示制御部２１の温度又は表示制御部２１の周囲温度を検出する温度センサ２４と、を備える。表示制御部２１は、温度センサ２４によって検出された温度が予め定めた閾値を超えた場合に、画像の表示態様を、三次元表示を含む第１態様から、二次元表示の第２態様へと切り替える。これにより、表示制御部２１の処理負荷を軽減することができ、表示制御部２１の温度上昇を抑制することができる。結果として、物理的な放熱構造の複雑化を抑制することもできる。【選択図】図１
2019108071.tif 000002
【特許請求の範囲】
【請求項１】
車両に関する情報を示す画像を表示する表示部と、
前記表示部の表示制御を行う表示制御部と、
前記表示制御部の温度又は前記表示制御部の周囲温度を検出する温度検出部と、を備え、
前記表示制御部は、前記温度検出部によって検出された温度が予め定めた閾値を超えた場合に、前記画像の表示態様を、三次元表示を含む第１態様から、二次元表示の第２態様へと切り替える、
ことを特徴とする車両用表示装置。
【請求項２】
前記第２態様の前記画像は、前記表示部の表示領域において前記第１態様の前記画像が表示されていた位置と対応する位置に表示されるとともに、前記第１態様の前記画像が示していた内容と対応する内容を示す、
ことを特徴とする請求項１に記載の車両用表示装置。
【請求項３】
前記第２態様の前記画像は、前記第１態様の前記画像よりも構成されるレイヤの数が少ない、
ことを特徴とする請求項１又は２に記載の車両用表示装置。
【請求項４】
前記第２態様の前記画像は、前記第１態様の前記画像よりも色深度が小さい、
ことを特徴とする請求項１乃至３のいずれか１項に記載の車両用表示装置。
【発明の詳細な説明】
【技術分野】
【０００１】
本発明は、車両用表示装置に関する。
【背景技術】
【０００２】
従来の車両用表示装置として、例えば特許文献１には、車両情報を表示する液晶表示モジュールを備えるものが開示されている。特許文献１に記載の車両用表示装置は、液晶表示モジュールを制御する制御回路デバイス等から発生する熱を、金属製配線基板で拡散することで温度上昇を抑制する。
【先行技術文献】
【特許文献】
【０００３】
【特許文献１】特開２０１６−１７９７１５号公報
【発明の概要】
【発明が解決しようとする課題】
【０００４】
特許文献１に記載されたような車両用表示装置では、近年、表示コンテンツの増加や高精度の画像表現が求められ、これに伴い画像の表示制御を行う表示制御部（表示制御ＩＣ（Integrated Circuit））の高性能化が進み、高速処理を行う表示制御ＩＣ自体の発熱も増大傾向にある。このような発熱に対処するためには、特許文献１に記載の物理的な放熱対策だけでは構造が複雑化してしまう。
【０００５】
本発明は、上記実情に鑑みてなされたものであり、放熱構造の複雑化を抑制しつつも、表示制御部の温度上昇を抑制することができる車両用表示装置を提供することを目的とする。
【課題を解決するための手段】
【０００６】
上記目的を達成するため、本発明に係る車両用表示装置は、
車両に関する情報を示す画像を表示する表示部と、
前記表示部の表示制御を行う表示制御部と、
前記表示制御部の温度又は前記表示制御部の周囲温度を検出する温度検出部と、を備え、
前記表示制御部は、前記温度検出部によって検出された温度が予め定めた閾値を超えた場合に、前記画像の表示態様を、三次元表示を含む第１態様から、二次元表示の第２態様へと切り替える。
【発明の効果】
【０００７】
本発明によれば、放熱構造の複雑化を抑制しつつも、表示制御部の温度上昇を抑制することができる。
【図面の簡単な説明】
【０００８】
【図１】本発明の一実施形態に係る車両用表示装置のブロック図である。
【図２】（ａ）は３Ｄモード画像の一例を示し、（ｂ）は２Ｄモード画像の一例を示す図である。
【図３】（ａ）は本発明の一実施形態に係る表示モード切替処理のフローチャートであり、（ｂ）は温度報知画像の一例を示す図である。
【発明を実施するための形態】
【０００９】
本発明の一実施形態に係る車両用表示装置について図面を参照して説明する。
【００１０】
図１に示す本実施形態に係る車両用表示装置１は、車両に搭載され、当該車両に関する情報（以下、「車両情報」とも言う。）を示す画像を表示するものである。車両用表示装置１は、例えば、車両のダッシュボードに設けられ、主に運転者に各種の車両情報を報知する。なお、車両情報は、自車両に関する情報だけでなく、車外の情報も含む。
【００１１】
車両用表示装置１は、図１に示すように、表示部１０と、制御装置２０と、を備える。
【００１２】
表示部１０は、制御装置２０の制御により、車両情報を示す画像を表示する。表示部１０は、カラーの階調表示が可能なものであり、例えば、液晶ディスプレイ（ＬＣＤ：Liquid Crystal Display）から構成されている。ＬＣＤは、例えば、ＴＦＴ（Thin Film Transistor）型の液晶パネルと、当該パネルを背後から照明するバックライトを含んで構成される。
【００１３】
表示部１０は、図２（ａ）、（ｂ）に示すように、例えば、横長の長方形状に構成された表示領域１１に画像を表示する。表示部１０は、制御装置２０の制御により、図２（ａ）に示す３次元（３Ｄ）モード画像と、図２（ｂ）に示す２次元（２Ｄ）モード画像の表示が可能となっている。３Ｄモード画像及び２Ｄモード画像については後述する。
【００１４】
なお、表示部１０は、ＬＣＤに限られず、ＯＬＥＤ（Organic Light Emitting Diodes）等の他の画像表示ディスプレイから構成されていてもよい。また、表示部１０は、ＨＵＤ（Head Up Display）として構成されてもよい。ＨＵＤは、ＬＣＤ等が発した表示光を反射部を介して透光部材（例えばフロントガラス）に照射することで、該透光部材の前方に設定される仮想画面に表示光が表す画像（虚像）を表示する。つまり、表示部１０の表示領域１１は、実画面に限られず、ＨＵＤによる仮想画面であってもよい。
【００１５】
制御装置２０は、マイクロコンピュータからなり、表示制御部２１と、不揮発性メモリ２２と、揮発性メモリ２３と、温度センサ２４と、各種回路２５ａ〜２５ｆと、を備える。
【００１６】
表示制御部２１は、表示部１０による画像表示動作を制御するものであり、車両用表示装置１の回路基板に実装される表示制御ＩＣ（Integrated Circuit）から構成される。表示制御部２１は、ＣＰＵ（Central Processing Unit）やグラフィックプロセッサを含む。
【００１７】
不揮発性メモリ２２は、ＲＯＭ（Read Only Memory）から構成され、具体的には、ＥＥＰＲＯＭ（Electrically Erasable Programmable Read-Only Memory）、フラッシュメモリ等から構成されている。不揮発性メモリ２２は、後述のように、表示モード切替処理を実行するためのプログラム等の各種の動作プログラムや、画像パーツデータ等の固定データを予め記憶する。
【００１８】
揮発性メモリ２３は、ＲＡＭ（Random Access Memory）から構成され、具体的には、ＳＲＡＭ（Static RAM）、ＤＲＡＭ（Dynamic RAM）等から構成されている。なお、不揮発性メモリ２２や揮発性メモリ２３は、表示制御部２１に内蔵されていてもよい。
【００１９】
表示制御部２１は、不揮発性メモリ２２から読み出した動作プログラムや固定データを用いて、車両用表示装置１の全体動作を制御するための処理を実行する。このときには、（ｉ）表示制御部２１が不揮発性メモリ２２から固定データを読み出す固定データ読出動作、（ｉｉ）表示制御部２１が揮発性メモリ２３に各種データを書き込んで一時記憶させるデータ書込動作や、揮発性メモリ２３に一時記憶されている各種データを読み出すデータ読出動作、（ｉｉｉ）表示制御部２１が各種回路２５ａ〜２５ｆを介して、外部から各種信号の入力を受け付ける受信動作や、外部へと各種信号を出力する送信動作なども行われる。表示制御部２１の具体的な制御については後述する。
【００２０】
温度センサ２４は、表示制御部２１の温度又は表示制御部２１の周囲温度を検出する。温度センサ２４は、例えば、温度によって抵抗定数が変化するサーミスタチップから構成される。例えば、サーミスタチップに一定の電流を流し続け、その両端の電位差を測定することで、温度に応じた抵抗値の変化を検出可能である。例えば、表示制御部２１は、Ａ／Ｄ（Analog to Digital）コンバータによりサーミスタチップの一方又は両方の端子電圧を監視することで、表示制御部２１の温度変化を検出する。なお、温度センサ２４として、測温抵抗体、熱電対、ＩＣ温度センサ等の公知の構成を適宜採用してもよい。
【００２１】
温度センサ２４は、表示制御部２１の温度異常を検出できれば、その配設位置は任意であり、例えば、回路基板における表示制御部２１が実装される面と同一面であって、表示制御部２１の直近に配設される。なお、温度センサ２４は、回路基板における表示制御部２１が実装される面の背面などに配設されていてもよい。また、温度センサ２４は、表示制御部２１の周辺ＩＣで発熱が予想されるメモリ付近等に配置されてもよい。また、温度センサ２４は１つに限られるものではなく、必要に応じて複数配置してもよい。表示制御部２１の発熱異常を検出できれば、温度センサ２４が検出する温度は、表示制御部２１の自体の温度（ジャンクション温度やケース温度）であってもよいし、表示制御部２１の周囲温度であってもよい。
【００２２】
電源回路２５ａ及び通信回路２５ｂは、車載のバッテリーや各種ＥＣＵ（Electronic Control Unit）等からなる車両システム２と電気的に接続されている。電源回路２５ａは、車載バッテリーからの電力を車両用表示装置１に供給し、主に表示制御部２１の動作電力を供給する。通信回路２５ｂは、信号線Ｌ１を介して、車両システム２におけるＥＣＵから画像表示を指示する表示命令コマンドを受信する。通信回路２５ｂは、受信した信号レベルを変換した表示命令コマンドを表示制御部２１へ送信する。
【００２３】
情報入力回路２５ｃは、車載のカーナビゲーション（カーナビ）システム３から、信号線Ｌ２を介して、後述のナビゲーションデータや画像データを受信する。情報入力回路２５ｃは、受信したデータに応じた表示命令コマンドを表示制御部２１へ送信する。カーナビシステム３は、人工衛星などから受信したＧＰＳ（Global Positioning System）信号に基づいて車両の位置を算出するＧＰＳコントローラを含んで構成される。カーナビシステム３は、地図データを記憶する記憶部を有し、ＧＰＳコントローラからの位置情報に基づいて、現在位置近傍の地図データを記憶部から読み出し、ユーザにより設定された目的地までの案内経路を決定する。そして、カーナビシステム３は、現在の車両位置とその近傍の地図データや、決定した案内経路などに関するナビゲーションデータや画像データを情報入力回路２５ｃへ伝送する。
【００２４】
映像入力回路２５ｄは、車載のカメラシステム４から、信号線Ｌ４を介して、撮像データを受信する。映像入力回路２５ｄは、受信した撮像データに応じた表示命令コマンドを表示制御部２１へ送信する。カメラシステム４は、例えば、運転者の安全確認のため、車両用表示装置１が搭載される車両の周辺風景（車両の側方や後方風景など）を撮像し、当該撮像データを映像入力回路２５ｄへ伝送する。
【００２５】
無線回路２５ｅは、アンテナと所定の無線通信規格に対応したモジュールから構成され、他の無線通信機器（例えば、搭乗者が車内に持ち込むスマートフォンなどの携帯端末）と無線通信を行う。無線回路２５ｅは、当該他の無線通信機器で表示可能な画像データに応じた表示命令コマンドを表示制御部２１へ送信する。なお、無線回路２５ｅにより可能な無線通信の規格は、目的に応じて任意であり、例えば、Ｂｌｕｅｔｏｏｔｈ（登録商標）、Ｗｉ−Ｆｉ（登録商標）、ＵＷＢ（Ultra Wide Band）、Ｚ−Ｗａｖｅ（登録商標）、ＺｉｇＢｅｅ（登録商標）などの規格を用いることができる。
【００２６】
オーディオ回路２５ｆは、車載のマイク、スピーカ等からなる音声入出力部５と表示制御部２１とを電気的に接続する。オーディオ回路２５ｆは、表示制御部２１からの音声出力指令に応じてスピーカから所定の音声を出力する。また、オーディオ回路２５ｆは、マイクに入力された音声に応じた入力音声データを表示制御部２１へ送信する。例えば、表示制御部２１は、受信した入力音声データに応じた指示操作を受け付け、受け付けた指示操作に従って表示部１０の表示画像を切り替える等の制御を行う。
【００２７】
表示制御部２１は、通信回路２５ｂ、情報入力回路２５ｃ、映像入力回路２５ｄ、及び無線回路２５ｅの少なくともいずれかから送信された表示命令コマンドに基づいて１画面（表示領域１１の全域に亘って表示される画像）の表示内容を決定する。当該送信方式は、ＥｔｈｅｒｎｅｔやＭＯＳＴといった、圧縮された画像データを送信するタイプと、ＬＶＤＳ（Low Voltage Differential Signaling）のように画像データを圧縮せずにそのまま送信するタイプがある。また、無線回路２５ｅを利用した無線通信経由によるデータ通信方式もある。ＥｔｈｅｒｎｅｔやＭＯＳＴの場合、圧縮データは、例えばＭＰＥＧ、Ｈ．２６４、ＪＰＥＧなど様々な方式があり、表示制御部２１が対応できる圧縮方式は部品サプライヤーによる表示制御ＩＣにより異なる。
【００２８】
表示制御部２１は、受信した画像データが圧縮されている場合は解凍処理後に当該データを取得し、ＬＶＤＳの場合は画像データをそのまま取得する。表示制御部２１は、内蔵のグラフィックプロセッサにより、取得した画像データと画像パーツデータとを合成した画像を生成し、表示部１０に表示する。
【００２９】
具体的には、表示制御部２１は、表示部１０に表示する１画面を構成するために必要な画像パーツデータを不揮発性メモリ２２から読み込み、揮発性メモリ２３へ転送する。また、表示制御部２１は、揮発性メモリ２３を使って、画像パーツデータや前記の各種回路２５ｂ〜２５ｅから受け取った各種の画像データを元に、１画面分の絵データを作成する。そして、表示制御部２１は、揮発性メモリ２３で１画面分の絵データを完成（合成完了）させたところで、描画タイミングに合わせて、信号線Ｌ３経由で表示部１０に転送する。これにより、表示部１０に各種の車両情報を示す画像が表示される。
【００３０】
なお、前記の各種回路２５ｂ〜２５ｅから受け取った各種の画像データは、揮発性メモリ２３の所定領域に保存され、１画面分の絵データの一部として使用される。また、表示部１０に表示する画面内容は、車両側からの表示命令の内容に従うことになり、表示制御部２１が実施する画面合成処理もこれに従う。
【００３１】
表示制御部２１は、例えば、車両用表示装置１の起動時のデフォルト態様である通常表示では、３Ｄモード画像を表示部１０の表示領域１１に表示する。
【００３２】
（３Ｄモード画像）
３Ｄモード画像は、次に説明する３Ｄ表示を含むとともに、複数レイヤで構成され、例えばトゥルーカラー（例えばＲＧＢカラーモデルの２４ｂｉｔ）の色深度を有する。
【００３３】
図２（ａ）に３Ｄモード画像の一例を示す。当該３Ｄモード画像は、表示領域１１の中央に位置するメイン画像部Ａ１と、メイン画像部Ａ１の左側に位置するタコメータ画像部Ａ２と、メイン画像部Ａ１の右側に位置するスピードメータ画像部Ａ３と、から構成されている。
【００３４】
メイン画像部Ａ１は、車体の形状や車体に反射する光の明暗を使って立体的に見えるように３Ｄ処理を施した車体モデル画像（３Ｄ表示の一例）と、車体モデル画像に重畳して表示される選択項目画像と、選択項目画像の下方に位置する水温計、シフトポジション、フューエルメータ等を示す下方画像と、を有する。
【００３５】
タコメータ画像部Ａ２は、正円形のメータ形状よりも内側に傾向けた態様でタコメータを表し、奥行きを感じさせる３Ｄ処理を施したタコメータ画像（３Ｄ表示の一例）と、タコメータ画像の上部に位置する外気温画像と、を有する。
【００３６】
スピードメータ画像部Ａ３は、正円形のメータ形状よりも内側に傾向けた態様でスピードメータを表し、奥行きを感じさせる３Ｄ処理を施したスピードメータ画像（３Ｄ表示の一例）と、スピードメータ画像の上部に位置する時刻画像と、を有する。
【００３７】
以上のように、３Ｄモード画像は、立体表現を施した３Ｄ表示を含むとともに、当該３Ｄ表示以外の各種情報を、文字、図形、アイコンなどを示す画像で表したものである。３Ｄ表示は、例えば、表示制御部２１に内蔵される３Ｄ表示専用のグラフィックプロセッサによって処理される。
【００３８】
ここで、３Ｄ表示で使用する画像データ（３Ｄデータ）は、２Ｄ表示で使用するデータ（２Ｄデータ）と比べてデータ量が多い。例えば、四角形を表現したい場合、２Ｄデータでは４点の座標データの各１点の座標データは、縦軸と横軸の座標点（Ｘ，Ｙ）で表現される。一方、３Ｄデータは各１点のデータは縦軸、横軸、奥行きの座標点（Ｘ，Ｙ，Ｚ）で表現されるため、単純計算でも２Ｄデータの１．５倍のデータ量となる。加えて、立体表現に必要な光源データがあるため、さらにデータ量が増える。つまり、３Ｄ表示と２Ｄ表示とで、同じ解像度及び同じ描画更新周期で表示制御を行う場合の表示制御部２１の処理負荷を比較した場合、３Ｄ表示の方が２Ｄ表示よりも圧倒的に処理負荷が大きい。
【００３９】
このように、車両用表示装置１の通常表示は、３Ｄ表示を使った表現力豊かなコンテンツを使用する。しかし、表示制御部２１は、温度センサ２４による検出温度（表示制御部２１の温度又は表示制御部２１の周囲温度）が、システム異常となる温度に達した又はその温度に近づいたこと（以下、「異常又は異常蓋然状態」と言う。）を検知した場合には、３Ｄモード画像を２Ｄモード画像に切り替える。これにより、システム処理負荷を軽減し、消費電力を減らすことで、表示制御部２１（表示制御ＩＣ）及びその周辺ＩＣの温度上昇を抑える。なお、表示制御部２１は、異常又は異常蓋然状態となったか否かを、温度センサ２４による検出温度が予め不揮発性メモリ２２に記憶した閾値を超えたか否かに応じて判別する。
【００４０】
（２Ｄモード画像）
２Ｄモード画像は、３Ｄ表示を含まずに２Ｄ表示のみで構成され、３Ｄモード画像よりも処理負担が少ない態様（以下、「簡素態様」と言う。）の画像である、この簡素態様の２Ｄモード画像は、３Ｄモード画像よりも少ない描画レイヤ数で構成され（例えば、単一レイヤ）、３Ｄモード画像よりも小さい色深度（例えばＲＧＢカラーモデルの１２ｂｉｔや、モノクロ２ｂｉｔ等）を有する。
【００４１】
図２（ｂ）に２Ｄモード画像の一例を示す。当該２Ｄモード画像は、表示領域１１の中央に位置するメイン画像部Ｂ１と、メイン画像部Ｂ１の左側に位置するタコメータ画像部Ｂ２と、メイン画像部Ｂ１の右側に位置するスピードメータ画像部Ｂ３と、から構成されている。
【００４２】
メイン画像部Ｂ１は、３Ｄモード画像におけるメイン画像部Ａ１の表示位置と対応し、３Ｄ表示（デザイン的な車体モデル画像）を消去するとともに、選択項目画像と、選択項目画像の下方に位置する下方画像とを簡素態様で表したものである。
【００４３】
タコメータ画像部Ｂ２は、３Ｄモード画像におけるタコメータ画像部Ａ２の表示位置と対応し、３Ｄ表示の代わりにエンジン回転数を文字情報などで示したタコメータ画像と、外気温画像とを簡素態様で表したものである。
【００４４】
スピードメータ画像部Ｂ３は、３Ｄモード画像におけるスピードメータ画像部Ａ３の表示位置と対応し、３Ｄ表示の代わりに車速を文字情報などで示したスピードメータ画像と、時刻画像とを簡素態様で表したものである。
【００４５】
つまり、２Ｄモード画像を構成する画像部は、表示部１０の表示領域１１において３Ｄモード画像を構成していた画像部と対応する位置に表示されるとともに、３Ｄモード画像を構成していた画像部と対応する（同種の）内容を示す。
【００４６】
このように、２Ｄモード画像での表示は、３Ｄモード画像と比較してデザイン的には見劣りするものの、３Ｄモード画像で示されていた内容（各種の車両情報や報知情報）を踏襲しつつも、表示制御部２１の処理負荷を軽減することができる。これにより、運転者や同乗者に必要な情報を報知するという本質的な機能を損なわずして、表示制御部２１の温度上昇を抑えることができ、車両用表示装置１の動作をより安定させることができる。
【００４７】
また、２Ｄモード画像は、３Ｄモード画像よりも色深度を減らすことも同様で、１ピクセル当たりの画像データを、例えば、３Ｄモード画像時のＲＧＢ各色８ｂｉｔずつの２４ｂｉｔから、２Ｄモード画像時のＲＧＢ各色４ｂｉｔずつの１２ｂｉｔやモノクロの２ｂｉｔとすることで、表示構成に使用するパーツデータ量を減らすことができる。すなわち、表示制御部２１によるデータバス使用率が減ることで、バス信号線の電圧振幅動作が減り、消費電力を減らすことができる。
【００４８】
なお、２Ｄデータは、予め不揮発性メモリ２２に保存されており、表示制御部２１が温度センサ２４の検出温度に基づいて異常又は異常蓋然状態を検知したことを契機に、不揮発性メモリ２２から揮発性メモリ２３にデータを展開し使用する。ただし、３Ｄ表示の表示処理性能に影響を及ぼさなければ、デフォルト時においても２Ｄデータを揮発性メモリ２３に展開しておいてもよい。
【００４９】
（表示モード切替処理）
ここからは、表示制御部２１が実行する表示モード切替処理を、図３（ａ）を参照して説明する。表示モード切替処理は、例えば、車両用表示装置１の起動を契機に所定の制御周期で繰り返し実行される。前述のように、当該処理の開始時は、表示制御部２１は、図２（ａ）に示すような３Ｄモード画像を表示部１０に表示する。
【００５０】
表示モード切替処理を開始すると、まず、表示制御部２１は、温度異常が生じている（異常又は異常蓋然状態）か否かを判別する（ステップＳ１）。具体的には、温度センサ２４による検出温度が予め不揮発性メモリ２２に記憶した閾値以下である場合には、表示制御部２１は、温度異常が生じていないと判別し（ステップＳ１；Ｎｏ）、３Ｄモード画像の表示を継続する（ステップＳ２）。ステップＳ２の処理後は再びステップＳ１から処理を開始する。
【００５１】
温度センサ２４による検出温度が前記の閾値を超えた場合には、表示制御部２１は、温度異常が生じていると判別し（ステップＳ１；Ｙｅｓ）、図２（ａ）に示すような３Ｄモード画像を、図２（ｂ）に示すような２Ｄモード画像へと表示を切り替える（ステップＳ３）。具体的には、表示制御部２１は、温度異常が生じていると判別すると、不揮発性メモリ２２内の２Ｄデータを揮発性メモリ２３にデータを展開し、２Ｄモード画像の描画処理を行う。
【００５２】
ステップＳ３に続いて、表示制御部２１は、温度異常が生じていることをユーザに報知する報知処理を実行する（ステップＳ４）。報知処理として、表示制御部２１は、例えば、「システム温度上昇のため、表示を切り替えました。」といった文章を一時的に２Ｄモード画像内に表示したり、当該文章を読み上げる音声や警告音を音声入出力部５のスピーカから出力したりする。
【００５３】
また、報知処理として、表示制御部２１は、表示制御部２１やその周辺ＩＣの温度をユーザに報知する温度報知画像Ｃを２Ｄモード画像内の所定位置に表示してもよい。図３（ｂ）は、温度報知画像Ｃの一例を示し、バーグラフ態様により、表示制御部２１やその周辺ＩＣの温度をユーザに報知する画像である。なお、温度報知画像Ｃは、バーグラフ態様の画像に限られず、所定の文字・アイコン（例えば「！」）や、温度自体を示す文字情報（例えば「１００℃」）や、温度状態を示す文字情報（例えば「ＨＩ」や「ＬＯ」）等を示す画像であってもよい。なお、温度報知画像Ｃも前述の簡素態様で表示される。
【００５４】
ステップＳ４の処理後は再びステップＳ１から処理を開始する。したがって、車内の車両用表示装置１の周囲温度や車外の気温が低下して、温度異常が解消されたときは（ステップＳ１；Ｎｏ）、表示制御部２１は、表示部１０の表示を２Ｄモード画像から３Ｄモード画像に復帰させる（ステップＳ２）。２Ｄモード画像内に温度報知画像Ｃを表示していた場合は、当該３Ｄモード画像の復帰時に温度報知画像Ｃを消去する。なお、通常表示時においても、３Ｄモード画像内に温度報知画像Ｃを表示してもよい。また、２Ｄモード画像から３Ｄモード画像に復帰させる場合においては、表示制御部２１は、温度センサ２４による検出温度が、ステップＳ１の判別処理に用いた閾値よりも低温か否かを判別し、当該低温であると判別した場合に、表示部１０の表示を３Ｄモード画像に復帰させるようにしてもよい。このようにヒステリシスを考慮することによって、２Ｄモード画像と３Ｄモード画像との頻繁な表示切り換えを抑制できる。
【００５５】
なお、本発明は以上の実施形態、変形例、及び図面によって限定されるものではない。本発明の要旨を変更しない範囲で、適宜、変更（構成要素の削除も含む）を加えることが可能である。例えば、ステップＳ３の事前に「システム温度上昇のため、表示を切り替えます」など、２Ｄモード画像への表示切替の理由や、これから切り替えを行う旨の報知（画像表示による報知や音声による報知）を行うようにしてもよい。こうすれば、表示が急に切り替わることによってユーザに与える虞のある違和感や不信感を低減できる。また、上述のように３Ｄモード画像から２Ｄモード画像への自動的な表示切り換えとは別に、ユーザによる操作（例えば、図示しない操作部からの手動操作や、音声認識に基づく操作）に応じて、２Ｄモード画像の選択（固定表示）を可能としてもよい。
【００５６】
車両用表示装置１が搭載される車両は自動四輪車に限られず、自動二輪車などであってもよい。また、３Ｄモード画像及び２Ｄモード画像の各々を構成する主な画像部は、上記例の３つに限られず、１つであっても、複数であってもよい。また、各画像部が示す情報は、上記例で示したスピードメータやタコメータなどに限られず、地図情報を含むナビゲーション情報や、各種のエンターテインメント情報（例えば、再生又は選択中の楽曲を示す情報）などであってもよい。
【００５７】
（１）以上に説明した車両用表示装置１は、車両に関する情報を示す画像を表示する表示部１０と、表示部１０の表示制御を行う表示制御部２１と、表示制御部２１の温度又は表示制御部２１の周囲温度を検出する温度センサ２４（温度検出部の一例）と、を備える。表示制御部２１は、温度センサ２４によって検出された温度が予め定めた閾値を超えた場合に、画像の表示態様を、三次元表示を含む第１態様（３Ｄモード画像）から、二次元表示の第２態様（２Ｄモード画像）へと切り替える。
このようにしたから、前述のように、表示制御部２１の処理負荷が軽減することができ、表示制御部２１の温度上昇を抑制することができる。結果として、物理的な放熱構造の複雑化を抑制することもできる。
【００５８】
（２）また、第２態様の前記画像は、表示部１０の表示領域１１において第１態様の画像が表示されていた位置と対応する位置に表示されるとともに、第１態様の画像が示していた内容と対応する内容を示す（例えば、メイン画像部Ｂ１が、メイン画像部Ａ１の位置と対応する位置に表示されるとともにメイン画像部Ａ１と対応する内容を示したり、タコメータ画像部Ｂ２が、タコメータ画像部Ａ２の位置と対応する位置に表示されるとともにタコメータ画像部Ａ２と対応する内容を示したりすること等）。
このようにしたから、運転者や同乗者に必要な情報を報知するという本質的な機能を損なわずして、表示制御部２１の温度上昇を抑えることができる。
【００５９】
（３）また、第２態様の画像（２Ｄモード画像）は、第１態様の画像（３Ｄモード画像）よりも構成されるレイヤの数が少ない。なお、以上では、２Ｄモード画像が単一レイヤで構成される例を示したが、３Ｄモード画像よりも少ないレイヤ数であれば、２Ｄモード画像が複数レイヤで構成されていてもよい。
【００６０】
（４）また、第２態様の画像（２Ｄモード画像）は、第１態様の画像（３Ｄモード画像）よりも色深度が小さい。この条件を満たす限りにおいては、３Ｄモード画像がトゥルーカラー（例えばＲＧＢカラーモデルの２４ｂｉｔ）で、２Ｄモード画像がＲＧＢカラーモデルの１２ｂｉｔや、モノクロ２ｂｉｔである例に限られない。例えば、３Ｄモード画像がＲＧＢカラーモデルの１２ｂｉｔで、２Ｄモード画像がモノクロ２ｂｉｔであってもよい。なお、２Ｄモード画像が３Ｄモード画像よりも色深度が小さいほうが表示制御部２１の処理負荷軽減には効果的ではあるが、２Ｄモード画像と３Ｄモード画像とが同じ色深度であってもよい。
【００６１】
以上の説明では、本発明の理解を容易にするために、公知の技術的事項の説明を適宜省略した。
【符号の説明】
【００６２】
１…車両用表示装置
１０…表示部、１１…表示領域
２０…制御装置
２１…表示制御部
２２…不揮発性メモリ、２３…揮発性メモリ
２４…温度センサ
２…車両システム
３…カーナビシステム
４…カメラシステム
５…音声入出力部
Ａ１、Ｂ１…メイン画像部
Ａ２、Ｂ２…タコメータ画像部
Ａ３、Ｂ３…スピードメータ画像部
Ｃ…温度報知画像
【図１】
2019108071.tif 000003
【図２】
2019108071.tif 000004
【図３】
2019108071.tif 000005